(57)【特許請求の範囲】
【請求項１】
車体側に固定された支持部材と、
一端部がエンジンフードに固定されたヒンジアームと、
ヒンジアームの他端部と支持部材とを相対回転可能に連結するヒンジピンと、
を含んで構成された車両用フードヒンジ構造であって、
エンジンフードを介してヒンジアームに車両下方側への所定値以上の荷重が入力されることによりヒンジアームの他端部をヒンジピンを通る荷重入力方向へ移動させる移動手段と、
前記移動手段によるヒンジアームの移動後にフード開放動作がなされてヒンジアームの他端部がヒンジピン回りにフード開方向へ回転することにより、ヒンジピンに対するヒンジアームの他端部の位置を移動後の位置から正規の位置である上方位置へ案内して復帰させるカム機構として構成された復帰手段と、
を有することを特徴とする車両用フードヒンジ構造。
【請求項２】
前記移動手段は、フード閉止時にはヒンジアームの他端部を正規の位置である上方位置に保持し、前記所定値以上の荷重が入力された場合にはヒンジアームの他端部のヒンジピンを通る荷重入力方向への移動を許容する保持手段である、
ことを特徴とする請求項１記載の車両用フードヒンジ構造。
【発明の詳細な説明】
【技術分野】
【０００１】
本発明は、エンジンフードの開閉に用いられる車両用フードヒンジ構造に関する。
【背景技術】
【０００２】
近年、歩行者保護対策に関する技術が盛んに開発されている。下記特許文献１には、エンジンフードを開閉可能に支持するフードヒンジに関する歩行者保護技術が開示されている。
【０００３】
簡単に説明すると、この特許文献１に開示された技術では、フードヒンジがヒンジアームとベース体と支持体とによって構成されている。ヒンジアームと支持体とは第１のヒンジピンによって相対回転可能に連結されており、通常のフード開閉時にはヒンジアームは支持体に対して相対回転することができる。また、支持体とベース体とは第２のヒンジピンによって相対回転可能に連結されているが、通常のフード開閉時にはロック機構によって両者の相対回転が阻止された状態にある。一方、歩行者等の衝突体がフードヒンジ上方側から衝突してきた場合には、ロック機構が解除されて支持体が第２のヒンジピン回りに車両下方側へ所定ストローク回動する。これにより、衝突体への荷重入力を低減しようというものである。
【特許文献１】特開２００１−２７０４６８号公報
【発明の開示】
【発明が解決しようとする課題】
【０００４】
しかしながら、上記特許文献１に開示された構造による場合、フードヒンジを車両下方側へ移動させるための別部品による移動機構が必要になると共に、ロック機構が必要になる等、構造が複雑化するという問題がある。さらに、フードヒンジが一旦下がると、元の状態に復帰させるのに部品交換等の修理が必要となり、ユーザー負担が増加する。
【０００５】
本発明は上記事実を考慮し、フードヒンジ上方側から所定値以上の荷重が入力された場合には荷重入力方向へ移動して衝撃を緩和し、しかも簡単な操作でフードヒンジを元の状態に復帰させることができる車両用フードヒンジ構造を得ることが目的である。
【課題を解決するための手段】
【０００６】
請求項１記載の発明は、車体側に固定された支持部材と、一端部がエンジンフードに固定されたヒンジアームと、ヒンジアームの他端部と支持部材とを相対回転可能に連結するヒンジピンと、を含んで構成された車両用フードヒンジ構造であって、エンジンフードを介してヒンジアームに車両下方側への所定値以上の荷重が入力されることによりヒンジアームの他端部をヒンジピンを通る荷重入力方向へ移動させる移動手段と、前記移動手段によるヒンジアームの移動後にフード開放動作がなされてヒンジアームの他端部がヒンジピン回りにフード開方向へ回転することにより、ヒンジピンに対するヒンジアームの他端部の位置を移動後の位置から正規の位置である上方位置へ案内して復帰させるカム機構として構成された復帰手段と、を有することを特徴としている。
【０００７】
請求項２記載の発明は、請求項１記載の車両用フードヒンジ構造において、前記移動手段は、フード閉止時にはヒンジアームの他端部を正規の位置である上方位置に保持し、前記所定値以上の荷重が入力された場合にはヒンジアームの他端部のヒンジピンを通る荷重入力方向への移動を許容する保持手段である、ことを特徴としている。
【０００９】
請求項１記載の本発明によれば、エンジンフードを介してヒンジアームに車両下方側への所定値以上の荷重が入力されると、移動手段によってヒンジアームの他端部がヒンジピンを通る荷重入力方向へ移動される。これにより、荷重入力の対象物に対する衝撃が緩和される。
【００１０】
その後、フード開放動作がなされてヒンジアームの他端部がヒンジピン回りにフード開方向へ回転すると、復帰手段を構成するカム機構によってヒンジピンに対するヒンジアームの他端部の位置が移動後の位置から正規の位置である上方位置へ案内されて復帰される。従って、フード開放という簡単な操作で、フードヒンジを元の状態に復帰させることができる。
また、本発明によれば、フード開放動作に伴って、ヒンジアームの他端部がヒンジピン回りにフード開方向へ回転すると、カム機構によってヒンジアームの他端部の位置が移動後の位置から正規の位置である上方位置へ案内されるため、特別な復帰機構を要しない。
【００１１】
請求項２記載の本発明によれば、フード閉時には、保持手段によってヒンジアームの他端部は正規の位置である上方位置に保持される。一方、所定値以上の荷重が入力された場合には、保持手段によってヒンジアームの他端部がヒンジピンを通る荷重入力方向への移動が許容される。従って、移動手段として保持手段を用いれば、個別のフード保持手段を設定する必要がない。
【発明の効果】
【００１３】
以上説明したように、請求項１記載の車両用フードヒンジ構造は、エンジンフードを介してヒンジアームに車両下方側への所定値以上の荷重が入力されることによりヒンジアームの他端部をヒンジピンを通る荷重入力方向へ移動させる移動手段と、この移動手段によるヒンジアームの移動後にフード開放動作がなされてヒンジアームの他端部がヒンジピン回りにフード開方向へ回転することにより、ヒンジピンに対するヒンジアームの他端部の位置を移動後の位置から正規の位置である上方位置へ案内して復帰させるカム機構として構成された復帰手段と、を有するので、フードヒンジ上方側から所定値以上の荷重が入力された場合には荷重入力方向へ移動して衝撃を緩和し、しかも簡単な操作でフードヒンジを元の状態に復帰させることができるという優れた効果を有する。
また、本発明に係る車両用フードヒンジ構造は、復帰手段を、ヒンジアームの他端部がヒンジピン回りにフード開方向へ回転することによりヒンジアームの他端部を移動後の位置から正規の位置である上方位置へ案内するカム機構としたので、部品点数の削減による構造の簡素化並びに修理費などのユーザ負担の軽減を図ることができるという優れた効果を有する。
【００１４】
請求項２記載の本発明に係る車両用フードヒンジ構造は、請求項１記載の発明において、移動手段を、フード閉止時にはヒンジアームの他端部を正規の位置である上方位置に保持し、所定値以上の荷重が入力された場合にはヒンジアームの他端部のヒンジピンを通る荷重入力方向への移動を許容する保持手段としたので、個別のフード保持手段を設定する構成に比し、部品点数の削減による構造の簡素化及び低コスト化を実現することができるという優れた効果を有する。
【発明を実施するための最良の形態】
【００１６】
以下、図１〜図５を用いて、本発明に係る車両用フードヒンジ構造の一実施形態について説明する。なお、これらの図において適宜示される矢印ＦＲは車両前方側を示しており、矢印ＵＰは車両上方側を示しており、矢印ＩＮは車両幅方向内側を示している。
【００１７】
図５には、フードヒンジ１０の周辺構造が斜視図で示されている。この図に示されるように、車体前部１２の両側部には、車体前部１２の側面を構成するフロントフェンダパネル１４がそれぞれ配設されている。各フロントフェンダパネル１４の上端部の内側には、車両骨格部材であるエプロンアッパメンバ１６が車両前後方向に沿って延在されている。エプロンアッパメンバ１６は、車両幅方向外側に配置されるエプロンアッパメンバアウタ１８と車両幅方向内側に配置されてエプロンアッパメンバアウタ１８とで閉断面を構成するエプロンアッパメンバインナ２０とによって構成されている。
【００１８】
一方、左右一対のフロントフェンダパネル１４の上端部には、エンジンルーム２２側へ張り出す段差部２４がそれぞれ形成されている。左右一対のフロントフェンダパネル１４の段差部２４には、フードアウタパネル２６及びフードインナパネル２８から成るエンジンフード３０の車両幅方向の端末部３０Ａが図示しないシール材を介して圧接されるようになっている。
【００１９】
上述したフードインナパネル２８とエプロンアッパメンバインナ２０の頂壁部２０Ａとの間には、エンジンフード３０を開閉可能に支持するフードヒンジ１０が配設されている。
【００２０】
図１には、上記フードヒンジ１０の分解斜視図が示されている。また、図２には、当該フードヒンジ１０の組付状態の斜視図が示されている。これらの図に示されるように、フードヒンジ１０は、ヒンジアーム３２と支持部材としての支持ブラケット３４とによって構成されている。支持ブラケット３４は正面視でＬ字状を成しており、エプロンアッパメンバインナ２０の頂壁部２０Ａに締結により固定される取付座３４Ａと、この取付座３４Ａの内側の側縁から立ち上げられた支持部３４Ｂとによって構成されている。支持部３４Ｂの上部には、車両幅方向に貫通する挿通孔３６が形成されている。
【００２１】
一方、ヒンジアーム３２は車両前後方向に沿って長尺状とされたアーム部材として構成されており、側面視では上下逆向きの略「へ」の字状形状を成している。ヒンジアーム３２のアーム部３４Ａの上縁側には折り曲げによるフランジ部３８が形成されており、更にフランジ部３８の前端部３８Ａはエンジンルーム２２側へ張り出してフードインナパネル２８への取付座とされている（図５参照）。また、ヒンジアーム３２の後端部３２Ｂは車両後方斜め上方へ向けて屈曲されており、当該後端部３２Ｂの先端部には長孔４０が形成されている。長孔４０は、その長軸方向が車両上下方向となるように形成されている。
【００２２】
上述した支持ブラケット３４における支持部３４Ｂに形成された挿通孔３６とヒンジアーム３２における後端部３２Ｂに形成された長孔４０とが車両幅方向に同軸上に配置され、エンジンルーム２２側から段付きボルトで構成されたヒンジピン４２及びワッシャ４４が挿通され、反対側からワッシャ４６及びナット４８が螺合されることにより、フードヒンジ１０がヒンジピン４２回りに回動可能とされている。なお、長孔４０は、エンジンフード３０が閉止された状態において、車両上下方向が長軸方向となるようにヒンジアーム３２の後端部３２Ｂに形成されている。また、通常時には、長孔４０の下端部にてヒンジピン４２が位置されている。
【００２３】
上述した支持ブラケット３４の支持部３４Ｂの内側面には、凸状の固定側カム部５０が一体に形成されている。固定側カム部５０は挿通孔３６の周囲に形成されており、本実施形態では中実として構成されている。但し、固定側カム部５０は必ずしも中実で構成されている必要はなく、例えば環状等でも適用は可能である。固定側カム部５０は側面視で略円盤状に形成されており、更に外周一部には半径方向外側へ突出する略三角形状の突起部５０Ａが形成されている。因みに、突起部５０Ａは、車両後方をｘ軸のプラス側、車両上方をｙ軸のプラス側とする直交（ｘ−ｙ）座標系を想定した場合において約４５度の方向に突出されている。
【００２４】
これに対応して、ヒンジアーム３２の後端部３２Ｂの外側面には、凸状の固定側カム部５０が内側に嵌合可能な凹状の移動側カム部５２が一体的に形成されている。移動側カム部５２は、車両前後方向の長さ（幅）よりも車両上下方向の長さ（高さ）の方が長い枠状（閉ループ状）に形成されている。また、移動側カム部５２は、下部を構成する円弧状壁部５２Ａと、上部を構成しかつ下向きに開放されたコ字状壁部５２Ｂとを備えている。なお、凹状の移動側カム部５２はプレス加工や削り出しによってヒンジアーム３２の側面に一体に形成する構成を採ってもよいし、予め移動側カム部５２を別部品で構成しておき、それをヒンジアーム３２の側面に溶接して取り付ける構成を採ってもよい。
【００２５】
フードヒンジ１０の車両組付状態では、図４Ａに示されるように、円弧状壁部５２Ａの中心に前述した長孔４０の下端部が重なって配置されるように、長孔４０と円弧状壁部５２Ａとの位置関係が設定されている。さらに、移動側カム部５２の上下方向寸法は、固定側カム部５０の径方向寸法よりも長く設定されており、前記組付状態においてコ字状壁部５２Ｂの上部側に隙間５４が形成されるようになっている。この隙間５４の上下方向寸法が、フードヒンジ１０への衝突荷重入力時におけるヒンジアーム３２の移動ストロークとなる。
【００２６】
さらに、コ字状壁部５２Ｂは、前後に配置された前壁５２Ｂ１及び後壁５２Ｂ２とこれらの上端同士を繋ぐ湾曲した上部壁５２Ｂ３といった三つの壁部によって構成されている。前壁５２Ｂ１は側面視で前傾しており、又後壁５２Ｂ２は側面視で後傾している。すなわち、側面視で見ると、前壁５２Ｂ１及び後壁５２Ｂ２は逆「ハ」の字状を成している。従って、円弧状壁部５２Ａとコ字状壁部５２Ｂとの接続部位は互いに接近する方向へ若干絞り込まれて括れ部５６が形成されている。前後の括れ部５６の内周面間の距離は、固定側カム５０の外径寸法よりも若干短く設定されている。さらに、上記前壁５２Ｂ１の壁長は、後壁５２Ｂ２の壁長よりも短く設定されている。
【００２７】
（作用・効果）
次に、本実施形態の作用並びに効果を説明する。
【００２８】
通常のエンジンフード３０の開閉時には、ヒンジアーム３２がヒンジピン４２を中心として開閉方向へ回転する。なお、フード開閉時には、ヒンジアーム３２側に形成された移動側カム部５２の円弧状壁部５２Ａは、支持ブラケット３４側に形成された固定側カム部５０に嵌合されて回転可能な状態を維持している。また、図４Ａに示されるように、フード閉止状態のときには、コ字状壁部５２Ｂの前壁５２Ｂ１及び後壁５２Ｂ２が側面視で逆「ハ」の字状に配置されてかつ前後の括れ部５６の内周面間の距離が固定側カム５０の外径寸法よりも短く設定されているので、一種の抜け止め効果が得られ、フードヒンジ１０の移動側カム部５２が支持ブラケット３４の固定側カム部５０に対して不用意に下方変位することはない。
【００２９】
この状態において、衝突体と前面衝突した場合等において、エンジンフード３０のフードヒンジ配設位置付近に所定値以上の衝突荷重が入力された場合には、当該エンジンフード３０を介してヒンジアーム３２に車両下方側への荷重が伝達される。このため、図４Ｂに示される如く、ヒンジアーム３２側の移動側カム部５２が支持ブラケット３４側の固定側カム部５０に対して車両下方側へ相対移動する。このとき、移動側カム部５２の括れ部５６は、当該移動側カム部５２内を固定側カム部５０が相対移動することができる程度に、互いに離反する方向へ僅かに弾性変形することで、固定側カム部５０に対する移動側カム部５２の相対移動が許容される。また、ヒンジピン４２は、ヒンジアーム３２に形成された長孔４０を下端部から上端部側へ相対移動する。上記により、衝突体に対する衝撃が緩和される。
【００３０】
その後、エンジンフード３０の開放動作がなされると、図４Ｃに示される如く、ヒンジアーム３２もヒンジピン４２回りに時計方向（図４Ｂの矢印Ａ方向）へ回転される。この過程で、コ字状壁部５２Ｂの上部壁５２Ｂ３の内周面５２Ｂ３’が支持ブラケット３４側の固定側カム部５０の突起部５０Ａの先端５０Ａ’を周方向へ摺動していく。このとき、コ字状壁部５２Ｂを構成する要素である前壁５２Ｂ１の壁長が後壁５２Ｂ２の壁長よりも短く設定されているので、双方の壁長の差に応じた量だけ、コ字状壁部５２Ｂが半径方向外側へと移動していく（押出されていく）。
【００３１】
そして、ヒンジアーム３２が約９０度の開度（略起立状態）とされたときに、移動側カム部５２が横向き（車両後方向き）になり、ヒンジアーム３２の復帰動作が完了する。つまり、フードヒンジ１０側の移動側カム部５２の円弧状壁部５２Ａ内に支持ブラケット３４側の固定側カム部５０が保持された状態となる。従って、フード開放という簡単な操作で、フードヒンジ１０を元の状態に復帰させることができる。
【００３２】
以上より、本実施形態によれば、エンジンフード２２におけるフードヒンジ１０の配設位置上方側から所定値以上の荷重（衝突体による衝突荷重）が入力された場合には荷重入力方向へ移動して衝突体に対する衝撃を緩和し、しかもエンジンフード２２の開放動作という簡単な操作でフードヒンジ１０を元の状態に復帰させることができる。
【００３３】
また、凹凸嵌合関係にある二つの固定側カム部５０及び移動側カム部５２を嵌合させて組付状態とし、前後の括れ部５６の内周面間の距離を固定側カム部５２の外径よりも短目に設定したので、フード閉止状態におけるフードヒンジ１０へかかる荷重領域では、フードヒンジ１０を図４Ａの実線図示位置（即ち、上方位置）に保持することができる。従って、本実施形態によれば、個別のフード保持手段を設定する必要がない。従って、部品点数の削減による構造の簡素化及び低コスト化を実現することができる。
【００３４】
さらに、二種類の固定側カム部５０及び移動側カム部５２の組み合わせから成るカム機構を利用することにより、フード開放動作に伴うヒンジアーム３２の自動復帰を可能としたので、特別な復帰機構を要しない。従って、部品点数の削減による構造の簡素化並びに修理費などのユーザ負担の軽減を図ることができる。
【００３５】
〔本実施形態の補足説明〕
なお、上述した本実施形態では、支持ブラケット３４側に凸状の固定側カム部５０を設け、ヒンジアーム３２側に凹状の移動側カム部５２を設ける構成を採ったが、これに限らず、両者の設定関係を逆にしてもよい。
【００３６】
また、上述した本実施形態では、エンジンフード３０が金属製であることに伴ってフードヒンジ１０も金属製としたが、これに限らず、例えば、エンジンフードを、エンジンフードに対する要求特性を満たす樹脂製とした場合には、フードヒンジも樹脂製とすることも充分可能である。
【図面の簡単な説明】
【００３７】
【図１】本実施形態に係るフードヒンジの分解斜視図である。
【図２】図１に示されるフードヒンジの組付状態の斜視図である。
【図３】図２の３−３線に沿う縦断面図である。
【図４Ａ】本実施形態に係るフードヒンジ構造の作動を現す要部拡大図に係り、通常のフード閉止状態を示す側面図である。
【図４Ｂ】本実施形態に係るフードヒンジ構造の作動を現す要部拡大図に係り、フードヒンジに上方側から所定値以上の荷重が入力された場合の側面図である。
【図４Ｃ】本実施形態に係るフードヒンジ構造の作動を現す要部拡大図に係り、下方変位したフードヒンジを自動復帰させる際の側面図である。
【図５】フードヒンジの周辺構造を示す車両組付状態の斜視図である。
【符号の説明】
【００３８】
１０      フードヒンジ
３０      エンジンフード
３２      ヒンジアーム
３２Ｂ      後端部（他端部）
３４      支持ブラケット（支持部材）
３８Ａ      前端部（一端部）
４０      長孔（移動手段、保持手段）
４２      ヒンジピン
５０      固定側カム部（移動手段、復帰手段、保持手段、カム機構）
５２      移動側カム部（移動手段、復帰手段、保持手段、カム機構）
５４      隙間（移動手段、保持手段）
【図１】
0004434105.tif 000002
【図２】
0004434105.tif 000003
【図３】
0004434105.tif 000004
【図４Ａ】
0004434105.tif 000005
【図４Ｂ】
0004434105.tif 000006
【図４Ｃ】
0004434105.tif 000007
【図５】
0004434105.tif 000008